(57)【要約】【課題】ＡＣ電源断時にデバイスを保護することができるデバイス保護装置及びデバイス保護方法を提供する。【解決手段】動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能を有する第２のユニットと、を備え、第１のユニットへ供給される全ての電源を同時に投入、断することにより、不揮発性メモリの電源を落とす。【選択図】図１
2007317061.tif 000002
【特許請求の範囲】
【請求項１】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、及び、前記第１のユニットへ供給される電源の制御機能を有する第２のユニットと、を備え、
前記第１のユニットへ供給される、少なくとも２系統以上の電源を同時に投入、断することにより、前記不揮発性メモリの電源を落とすことを特徴とするデバイス保護装置。
【請求項２】
前記第２のユニットにより電源の制御シーケンスを付けることにより、前記電源電圧降下の検知前に前記不揮発性メモリの電源を落とすことを特徴とする請求項１記載のデバイス保護装置。
【請求項３】
前記第２のユニットは、前記第１の電源監視機能で監視される電源を監視する第２の電源監視機能を有し、該第２の電源監視機能により電源電圧降下を検知した場合に前記第１のユニットへリセット信号を発行する機能を有し、
前記第２のユニットにより発行された前記リセット信号により前記第１のユニットのリセットを行い、前記不揮発性メモリへの書き込みを防止することを特徴とする請求項１又は２記載のデバイス保護装置。
【請求項４】
前記第２のユニットは、前記第２の電源監視機能により電源電圧降下を検知した場合に前記第２のユニットに供給される電源シーケンスに関わらず、電源を同時に投入、断する電源制御部を有し、
前記電源制御部により前記不揮発性メモリへの書き込み前に該不揮発性メモリの電源も落とすことを特徴とする請求項３記載のデバイス保護装置。
【請求項５】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、及び、前記第１のユニットへ供給される電源の制御機能を有する第２のユニットと、を備え、
前記第２のユニットにより電源の制御シーケンスを付けることにより、前記電源電圧降下の検知前に前記不揮発性メモリの電源を落とすことを特徴とするデバイス保護装置。
【請求項６】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、及び、前記第１のユニットへ供給される電源の制御機能、及び、前記第１のユニットの電源監視機能で監視される電源を監視する第２の電源監視機能を有し、該第２の電源監視機能により電源電圧降下を検知した場合に前記第１のユニットへリセット信号を発行する機能を有する第２のユニットと、を備え、
前記第２のユニットにより発行された前記リセット信号により前記第１のユニットのリセットを行い、前記不揮発性メモリへの書き込みを防止することを特徴とするデバイス保護装置。
【請求項７】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、及び、前記第１のユニットへ供給される電源の制御機能、及び、前記第１の電源監視機能で監視される電源を監視する第２の電源監視機能を有する電源制御部を有する第２のユニットと、を備え、
前記電源制御部は、前記第２の電源監視機能により電源電圧降下を検知した場合に前記第２のユニットに供給される電源シーケンスに関わらず、電源を同時に投入、断することにより、前記不揮発性メモリへの書き込み前に該不揮発性メモリの電源も落とすことを特徴とするデバイス保護装置。
【請求項８】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、及び、前記第１のユニットへ供給される電源の制御機能を有する第２のユニットと、を備える装置のデバイス保護方法であって、
前記第１のユニットへ供給される、少なくとも２系統以上の電源を同時に投入、断することにより、前記不揮発性メモリの電源を落とすことを特徴とするデバイス保護方法。
【請求項９】
前記第２のユニットにより電源の制御シーケンスを付けることにより、前記電源電圧降下の検知前に前記不揮発性メモリの電源を落とすことを特徴とする請求項８記載のデバイス保護方法。
【請求項１０】
前記第２のユニットは、前記第１の電源監視機能で監視される電源を監視する第２の電源監視機能を有し、該第２の電源監視機能により電源電圧降下を検知した場合に前記第１のユニットへリセット信号を発行する機能を有し、
前記第２のユニットにより発行された前記リセット信号により前記第１のユニットのリセットを行い、前記不揮発性メモリへの書き込みを防止することを特徴とする請求項８又は９記載のデバイス保護方法。
【請求項１１】
前記第２のユニットは、前記第２の電源監視機能により電源電圧降下を検知した場合に前記第２のユニットに供給される電源シーケンスに関わらず、電源を同時に投入、断する電源制御部を有し、
前記電源制御部により前記不揮発性メモリへの書き込み前に該不揮発性メモリの電源も落とすことを特徴とする請求項１０記載のデバイス保護方法。
【請求項１２】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、及び、前記第１のユニットへ供給される電源の制御機能を有する第２のユニットと、を備える装置のデバイス保護方法であって、
前記第２のユニットにより電源の制御シーケンスを付けることにより、前記電源電圧降下の検知前に前記不揮発性メモリの電源を落とすことを特徴とするデバイス保護方法。
【請求項１３】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、前記第１のユニットへ供給される電源の制御機能、及び、前記第１のユニットの電源監視機能で監視される電源を監視する第２の電源監視機能を有し、該第２の電源監視機能により電源電圧降下を検知した場合に前記第１のユニットへリセット信号を発行する機能を有する第２のユニットと、を備える装置のデバイス保護方法であって、
前記第２のユニットにより発行された前記リセット信号により前記第１のユニットのリセットを行い、前記不揮発性メモリへの書き込みを防止することを特徴とするデバイス保護方法。
【請求項１４】
動作するために２系統以上の電源が必要で、供給される電源のうち少なくとも１系統以上の電源を監視する第１の電源監視機能を有し、該第１の電源監視機能により所定の期間中に電源電圧降下を検知した場合に電圧降下があったことを不揮発性メモリに書き込む機能を有する第１のユニットと、
前記第１のユニットの制御機能、前記第１のユニットへ供給される電源の制御機能、及び、前記第１の電源監視機能で監視される電源を監視する第２の電源監視機能を有する電源制御部を有する第２のユニットと、を備える装置のデバイス保護方法であって、
前記電源制御部は、前記第２の電源監視機能により電源電圧降下を検知した場合に前記第２のユニットに供給される電源シーケンスに関わらず、電源を同時に投入、断することにより、前記不揮発性メモリへの書き込み前に該不揮発性メモリの電源も落とすことを特徴とするデバイス保護方法。
【発明の詳細な説明】
【技術分野】
【０００１】
本発明は、２系統以上の電源で動作し、供給電源の電源電圧降下（異常）を検知した場合に電圧降下があったことを不揮発性メモリ等に書き込む機能を有するデバイスを備え、ＡＣ電源断時にはそのデバイスを保護するデバイス保護装置及びデバイス保護方法に関する。
【背景技術】
【０００２】
従来技術例として、ＡＣ電源断の電圧降下を検知しデータを保持する技術がある（例えば、特許文献１及び２参照）。
【特許文献１】特開２００４−７２７１１号公報
【特許文献２】特開２００２−２８３６６１号公報
【発明の開示】
【発明が解決しようとする課題】
【０００３】
しかしながら、従来、２系統の電源（５Ｖ、１２Ｖ）で動作し、１２Ｖ電源を監視し、リセット解除からハード初期化終了までの間に１２Ｖ電源電圧降下（異常）を検知したら電圧降下があったことを不揮発性メモリ（EEPROM）に書き込む機能を有するユニット（例えば、Hard Disk Drive（ＨＤＤ）など）を有するシステムにおいては、ユニットの電源シーケンスが５Ｖより１２Ｖが先に電圧降下するので、電源ＯＮ後ハード初期化中に電源ＯＦＦすると電源ＯＦＦによる１２Ｖの電圧降下を検知し、EEPROMに書き込みを行おうとするが、電源ＯＦＦによりEEPROMの動作電源である５Ｖも遅れて電圧降下して行きEEPROMへの書き込みが途中で強制終了されてしまう現象が実際に起こった。ユニット（ＨＤＤ）は電源ＯＮ後EEPROMのＳＵＭ値をチェックしに行くが、上記現象によりEEPROMへの書き込みが途中で強制終了されるとＳＵＭ値エラーとなり、ユニット（ＨＤＤ）が起動せず、システムにおいてこのユニット（ＨＤＤ）が使えなくなったり、エラーが表示されたりする等の不具合が生じた。
【０００４】
本発明は、上記不具合を解消するためになされたものであり、電源断時にデバイスを保護することができるデバイス保護装置及びデバイス保護方法を提供することを目的とする。
【課題を解決するための手段】
【０００５】
かかる目的を達成するために、請求項１記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能を有する第２のユニットと、を備え、第１のユニットへ供給される、少なくとも２系統以上の電源を同時に投入、断することにより、不揮発性メモリの電源を落とすことを特徴とする。
【０００６】
請求項２記載の発明は、請求項１記載の発明において、第２のユニットにより電源の制御シーケンスを付けることにより、電源電圧降下の検知前に不揮発性メモリの電源を落とすことを特徴とする。
【０００７】
請求項３記載の発明は、請求項１又は２記載の発明において、第２のユニットは、第１の電源監視機能で監視される電源を監視する第２の電源監視機能を有し、第２の電源監視機能により電源電圧降下を検知した場合に第１のユニットへリセット信号を発行する機能を有し、第２のユニットにより発行されたリセット信号により第１のユニットのリセットを行い、不揮発性メモリへの書き込みを防止することを特徴とする。
【０００８】
請求項４記載の発明は、請求項３記載の発明において、第２のユニットは、第２の電源監視機能により電源電圧降下を検知した場合に第２のユニットに供給される電源シーケンスに関わらず、電源を同時に投入、断する電源制御部を有し、電源制御部により不揮発性メモリへの書き込み前に不揮発性メモリの電源も落とすことを特徴とする。
【０００９】
請求項５記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能を有する第２のユニットと、を備え、第２のユニットにより電源の制御シーケンスを付けることにより、電源電圧降下の検知前に不揮発性メモリの電源を落とすことを特徴とする。
【００１０】
請求項６記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能、及び、第１のユニットの電源監視機能で監視される電源を監視する第２の電源監視機能を有し、第２の電源監視機能により電源電圧降下を検知した場合に第１のユニットへリセット信号を発行する機能を有する第２のユニットと、を備え、第２のユニットにより発行されたリセット信号により第１のユニットのリセットを行い、不揮発性メモリへの書き込みを防止することを特徴とする。
【００１１】
請求項７記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能、及び、第１の電源監視機能で監視される電源を監視する第２の電源監視機能を有する電源制御部を有する第２のユニットと、を備え、電源制御部は、第２の電源監視機能により電源電圧降下を検知した場合に第２のユニットに供給される電源シーケンスに関わらず、電源を同時に投入、断することにより、不揮発性メモリへの書き込み前に不揮発性メモリの電源も落とすことを特徴とする。
【００１２】
請求項８記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能を有する第２のユニットと、を備える装置のデバイス保護方法であって、第１のユニットへ供給される、少なくとも２系統以上の電源を同時に投入、断することにより、不揮発性メモリの電源を落とすことを特徴とする。
【００１３】
請求項９記載の発明は、請求項８記載の発明において、第２のユニットにより電源の制御シーケンスを付けることにより、電源電圧降下の検知前に不揮発性メモリの電源を落とすことを特徴とする。
【００１４】
請求項１０記載の発明は、請求項８又は９記載の発明において、第２のユニットは、第１の電源監視機能で監視される電源を監視する第２の電源監視機能を有し、第２の電源監視機能により電源電圧降下を検知した場合に第１のユニットへリセット信号を発行する機能を有し、第２のユニットにより発行されたリセット信号により第１のユニットのリセットを行い、不揮発性メモリへの書き込みを防止することを特徴とする。
【００１５】
請求項１１記載の発明は、請求項１０記載の発明において、第２のユニットは、第２の電源監視機能により電源電圧降下を検知した場合に第２のユニットに供給される電源シーケンスに関わらず、電源を同時に投入、断する電源制御部を有し、電源制御部により不揮発性メモリへの書き込み前に不揮発性メモリの電源も落とすことを特徴とする。
【００１６】
請求項１２記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、及び、第１のユニットへ供給される電源の制御機能を有する第２のユニットと、を備える装置のデバイス保護方法であって、第２のユニットにより電源の制御シーケンスを付けることにより、電源電圧降下の検知前に不揮発性メモリの電源を落とすことを特徴とする。
【００１７】
請求項１３記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、第１のユニットへ供給される電源の制御機能、及び、第１のユニットの電源監視機能で監視される電源を監視する第２の電源監視機能を有し、第２の電源監視機能により電源電圧降下を検知した場合に第１のユニットへリセット信号を発行する機能を有する第２のユニットと、を備える装置のデバイス保護方法であって、第２のユニットにより発行されたリセット信号により第１のユニットのリセットを行い、不揮発性メモリへの書き込みを防止することを特徴とする。
【００１８】
請求項１４記載の発明は、動作するために２系統以上の電源が必要で、供給される電源のうち少なくとも１系統以上の電源を監視する第１の電源監視機能を有し、第１の電源監視機能により所定の期間中に電源電圧降下を検知した場合に電圧降下があったことを不揮発性メモリに書き込む機能を有する第１のユニットと、第１のユニットの制御機能、第１のユニットへ供給される電源の制御機能、及び、第１の電源監視機能で監視される電源を監視する第２の電源監視機能を有する電源制御部を有する第２のユニットと、を備える装置のデバイス保護方法であって、電源制御部は、第２の電源監視機能により電源電圧降下を検知した場合に第２のユニットに供給される電源シーケンスに関わらず、電源を同時に投入、断することにより、不揮発性メモリへの書き込み前に不揮発性メモリの電源も落とすことを特徴とする。
【発明の効果】
【００１９】
本発明によれば、電源断時にデバイスを保護するデバイス保護装置及びデバイス保護方法を実現することが可能となる。
【発明を実施するための最良の形態】
【００２０】
以下、本発明を実施するための最良の形態について添付図面を参照して詳細に説明する。
【００２１】
本発明は、ユニット（ＨＤＤ）へ供給される全ての電源を同時に投入、切断する事により電源ＯＦＦによる電源電圧降下（１２Ｖ）を検知後、不揮発性メモリ（EEPROM）への書き込みを行う前に不揮発性メモリ（EEPROM）の電源も落としてしまう事により、書き込みを防ぎ、デバイスを保護する事を目的としている。
【００２２】
また、本発明は、ユニット（ＨＤＤ）へ供給する電源のシーケンスを付け、電源ＯＦＦにて先に不揮発性メモリ（EEPROM）の電源（５Ｖ）を、電源電圧降下（１２Ｖ）の検知前に落としてしまう事により、書き込みを防ぎ、デバイスを保護する事を目的としている。
【００２３】
また、本発明は、ユニット（ＨＤＤ）で監視される電源（１２Ｖ）を別ユニット（制御基板）側でも監視しておき、電源ＯＦＦにより（１２Ｖ）電源電圧降下を検知したらユニット（ＨＤＤ）へリセット信号を発行し、ユニット（ＨＤＤ）のリセットが行われ不揮発性メモリへの書き込みが行われないようにする事により、デバイスを保護する事を目的としている。
【００２４】
また、本発明は、別ユニットに供給される電源のシーケンスに関わりなく電源を同時に投入、断する機能を別ユニット（制御基板）上の電源制御部による制御で実現することによって、電源ＯＦＦによる電源電圧降下（１２Ｖ）を検知後、不揮発性メモリ（EEPROM）への書き込みを行う前に不揮発性メモリ（EEPROM）の電源も落としてしまう事により、書き込みを防ぎ、デバイスを保護する事を目的としている。
【００２５】
本発明のデバイス保護装置は、図１に示すように、２系統の電源（Vout1'（５Ｖ(電源部 out)）、Vout2'（１２Ｖ(電源部 out)））で動作し、Vout2'（１２Ｖ(電源部 out)）の電源を監視し、リセット解除からハード初期化終了までの間にVout2'（１２Ｖ(電源部 out)）の電源電圧降下（異常）を検知したら電圧降下があったことをEEPROM９に書き込む機能を有するＨＤＤ８を有するシステムである。従来、このシステムにおいては、制御基板１の電源部２より供給される電源のシーケンスがVout1'（５Ｖ(電源部 out)）よりVout2'（１２Ｖ(電源部 out)）が先に電圧降下するもので、電源ＯＮ後ハード初期化中に電源ＯＦＦすると、電源ＯＦＦによるVout2'（１２Ｖ(電源部 out)）の電圧降下を検知し、EEPROM９に書き込みを行おうとするが、電源ＯＦＦによりEEPROM９の動作電源であるVout1'（５Ｖ(電源部 out)）も遅れて電圧降下して行きEEPROM９への書き込みが途中で強制終了されてしまう。そして、ＨＤＤ８は電源ＯＮ後EEPROM９のＳＵＭ値をチェックしに行く場合、上記現象によりEEPROM９への書き込みが途中で強制終了されるとＳＵＭ値エラーとなりＨＤＤ８が起動せず、システムでこのＨＤＤ８が使えないという問題があった。
【００２６】
図４のターミンングチャートの「（ａ）エラー発生タイミング」に示すように、電源ＯＮ後ハード初期化中に電源ＯＦＦすると電源ＯＦＦによるVout2'（１２Ｖ(電源部 out)）の電圧降下を検知し、EEPROM Writeを行おうとするが、電源ＯＦＦによりEEPROM９の動作電源であるVout1'（５Ｖ(電源部 out)）も遅れて電圧降下して行きEEPROM Writeが途中で強制終了されることが分かる。EEPROM WriteはHighで書き込みする。
【００２７】
本発明の各実施例について、図１〜３のブロック図及び図４〜７のタイミングチャートを参照して以下に説明する。
【実施例１】
【００２８】
図１及び図４を参照して本発明の実施例１について説明する。
本実施例では、図１において、ＨＤＤ８へ供給されるVout1'（５Ｖ(電源部 out)）、Vout2'（１２Ｖ(電源部 out)）をＰＳＵ７、または電源部２からの供給タイミングを同時に投入、断するようにする事により、電源ＯＦＦによるVout2（１２Ｖ(電源部 out)）の電源電圧降下を検知後、EEPROM９への書き込みを行う前にEEPROM９の電源Vout1'（５Ｖ(電源部 out)）も落としてしまう事により、書き込みを防ぎデバイスを保護する。
【００２９】
図４のタイミングチャートの「（ｂ）ＰＳＵにて同時断」に示すように、ＰＳＵ７からの供給タイミングを同時に投入、断するようにし電源部２は素通りするようにする事によりＨＤＤ８のVout1'（５Ｖ(電源部 out)）、Vout2'（１２Ｖ(電源部 out)）は同時断となり、図４（ａ）の場合と比べ、EEPROM Writeが発生しない。
【００３０】
図４のタイミングチャートの「（ｃ）電源部にて同時断」に示すように、ＰＳＵ７の電源断時のシーケンスを考慮し電源部２からの供給タイミングを同時に投入、断するようにするとＨＤＤ８のVout1'（５Ｖ(電源部 out)）、Vout2'（１２Ｖ(電源部 out)）は同時断となり、図４（ａ）の場合と比べ、EEPROM Writeが発生しない。
【００３１】
以上説明したように、本発明の実施例１によれば、ユニット（ＨＤＤ８）へ供給される全ての電源を同時に投入、断する事により電源ＯＦＦによる電源電圧降下（１２Ｖ）を検知後、不揮発性メモリ（EEPROM９）への書き込みを行う前に不揮発性メモリ（EEPROM９）の電源も落としてしまう事により、書き込みを防ぎデバイスを保護する効果がある。
【実施例２】
【００３２】
図１及び図５を参照して本発明の実施例２について説明する。
本実施例では、図１において、ＨＤＤ８へ供給されるVout1'（５Ｖ(電源部 out)）、Vout2'（１２Ｖ(電源部 out)）をＰＳＵ７、または電源部２において、主電源ＯＦＦ時Vout2'（１２Ｖ(電源部 out)）よりVout1'（５Ｖ(電源部 out)）が先に電圧降下する電源のシーケンスを付ける事により、先にEEPROM９の電源Vout1'（５Ｖ(電源部 out)）がVout2'（１２Ｖ(電源部 out)）電源電圧降下の検知前に落ちる事により、書き込みを防ぎデバイスを保護する。
【００３３】
図５のタイミングチャートの「（ｂ）ＰＳＵにてシーケンス付け」に示すように、電源断時ＰＳＵ７からの供給はVout1'（５Ｖ(電源部 out)）が先に切れるようにし電源部２は素通りするようにする事によりＨＤＤ８のVout1'（５Ｖ(電源部 out)）が先に切れ、つまりEEPROM９の電源が先に切れるので、図５（ａ）の場合と比べ、EEPROM Writeが発生しない。
【００３４】
図５のタイミングチャートの「（ｃ）電源部にてシーケンス付け」に示すように、ＰＳＵ７の電源断時のシーケンスを考慮し、Vout2'（１２Ｖ(電源部 out)）がVout1'（５Ｖ(電源部 out)）より後に切れるようコンデンサ等で容量を確保しておきシーケンスを作る。これによりVout1'（５Ｖ(電源部 out)）が先に切れ、図５（ａ）の場合と比べ、EEPROM Writeが発生しない。
【００３５】
以上説明したように、本発明の実施例２によれば、ユニット（ＨＤＤ８）へ供給する電源のシーケンスを付ける事により電源ＯＦＦにて先に不揮発性メモリ（EEPROM９）の電源（５Ｖ）を電源電圧降下（１２Ｖ）を検知前に落とす事により、書き込みを防ぎデバイスを保護する効果がある。
【実施例３】
【００３６】
図２及び図６を参照して本発明の実施例３について説明する。
本実施例は、図２において、ＨＤＤ８で監視される電源Vout2'（１２Ｖ(電源部 out)）を制御基板１側でも電源監視部１０にて監視しておき、主電源ＯＦＦによりVout2'（１２Ｖ(電源部 out)）の電源電圧降下を検知したらＨＤＤ８へリセット信号を発行し、ＨＤＤ８にリセットが行われるようにしEEPROM９への書き込みが行われないようにすることによりデバイスを保護する。
【００３７】
ＨＤＤ  Ｉ／ＦにはＨＤＤ８をリセットする信号（ＨＤＤ  ＲＥＳＥＴ）があり、このリセット信号（ＨＤＤ  ＲＥＳＥＴ）と電源監視部１０のリセット信号とをＯＲしたものをＨＤＤ８に発行してもよい。
【００３８】
図６のタイミングチャートの「（ｂ）１２Ｖ電源監視でＨＤＤリセット」に示すように、電源監視部１０にて監視しておき、主電源ＯＦＦによりVout2'（１２Ｖ(電源部 out)）の電源電圧降下を検知したらＨＤＤ８へＨＤＤ  ＲＥＳＥＴを発行し、ＨＤＤ８にリセットが行われ、図６（ａ）の場合と比べ、EEPROM Writeが発生しない。
【００３９】
以上説明したように、本発明の実施例３によれば、ユニット（ＨＤＤ８）で監視される電源（１２Ｖ）を別ユニット（制御基板１）側でも監視しておき、電源ＯＦＦにより（１２Ｖ）電源電圧降下を検知したらユニット（ＨＤＤ８）へリセット信号を発行し、ユニット（ＨＤＤ８）のリセットが行われ不揮発性メモリ（EEPROM９）への書き込みが行われないようにすることによりデバイスを保護する効果がある。
【実施例４】
【００４０】
図３及び図７を参照して本発明の実施例４について説明する。
本実施例では、上記実施例１及び実施例２において、ＰＳＵ７、または電源部２の出力タイミングに頼っていたが、図３（ａ）において、電源制御部１１により制御基板１に供給されるVout1'（５Ｖ(電源部 out)）、Vout2'（１２Ｖ(電源部 out)）のシーケンスに関わりなく電源を同時に投入、断する事により、電源ＯＦＦによるVout2'（１２Ｖ(電源部 out)）の電源電圧降下を検知後、EEPROM９への書き込みを行う前にEEPROM９の電源Vout1'（５Ｖ(電源部 out)）も落としてしまう事により、書き込みを防ぎデバイスを保護する。
【００４１】
電源制御部１１による同時断は、図３（ｂ）において、Vout2（１２Ｖ(ＰＳＵ out)）を監視する電源監視部１２が電源電圧降下を検知した時、Vout1（５Ｖ(ＰＳＵ out)）とVout1'（５Ｖ(電源部 out)）を繋ぐスイッチ１３をＯＦＦ状態にする事で実現できる。
【００４２】
図７のタイミングチャートの「（ｂ）電源制御部による同時断」に示すように、ＰＳＵ７の電源断時のシーケンスに関わらず、Vout2（１２Ｖ(ＰＳＵ out)）の電源電圧降下を検知し、すぐにVout1'（５Ｖ(電源部 out)）をＯＦＦする事により、図７（ａ）の場合と比べ、EEPROM Writeを発生させない。
【００４３】
以上説明したように、本発明の実施例４によれば、別ユニット（制御基板１）に供給される電源のシーケンスに関わりなく電源を同時に投入、断する機能を別ユニット（制御基板１）上の電源制御部による制御で実現することによって、電源ＯＦＦによる電源電圧降下（１２Ｖ）を検知後、不揮発性メモリ（EEPROM９）への書き込みを行う前に不揮発性メモリ（EEPROM９）の電源も落としてしまう事により、書き込みを防ぎデバイスを保護する効果がある。
【００４４】
以上、本発明の各実施例について説明したが、上記各実施例に限定されるものではなく、その要旨を逸脱しない範囲において種々の変形が可能である。また、上記各実施例は、それぞれ組み合わせることもできる。
【産業上の利用可能性】
【００４５】
本発明は、画像形成装置等のディスク記憶を有する装置に適用できる。
【図面の簡単な説明】
【００４６】
【図１】本発明の実施例１及び実施例２のデバイス保護装置の構成を示すブロック図である。
【図２】本発明の実施例３のデバイス保護装置の構成を示すブロック図である。
【図３】（ａ）は本発明の実施例４のデバイス保護装置の構成を示すブロック図であり、（ｂ）は電源制御部の構成を示すブロック図である。
【図４】（ａ）は本発明の実施例１のデバイス保護装置のエラー発生時を示すタイミングチャートであり、（ｂ）は本発明の実施例１のデバイス保護装置のＰＳＵにて同時断を示すタイミングチャートであり、（ｃ）は本発明の実施例１のデバイス保護装置の電源部にて同時断を示すタイミングチャートである。
【図５】（ａ）は本発明の実施例２のデバイス保護装置のエラー発生時を示すタイミングチャートであり、（ｂ）は本発明の実施例２のデバイス保護装置のＰＳＵにてシーケンス付けを示すタイミングチャートであり、（ｃ）は本発明の実施例２のデバイス保護装置の電源部にてシーケンス付けを示すタイミングチャートである。
【図６】（ａ）は本発明の実施例３のデバイス保護装置のエラー発生時を示すタイミングチャートであり、（ｂ）は本発明の実施例３のデバイス保護装置の１２Ｖ電源監視でＨＤＤにリセットを示すタイミングチャートである。
【図７】（ａ）は本発明の実施例４のデバイス保護装置のエラー発生時を示すタイミングチャートであり、（ｂ）は本発明の実施例４のデバイス保護装置の電源制御部による同時断を示すタイミングチャートである。
【符号の説明】
【００４７】
１    制御基板（第２のユニットの一例）
２    電源部
３    ＣＰＵ
４    ＲＡＭ
５    ＨＤＤコントローラ
６    ＲＯＭ
７    ＰＳＵ
８    ＨＤＤ（第１のユニットの一例）
９    ＥＥＰＲＯＭ（不揮発性メモリの一例）
１０  電源監視部
１１    電源制御部
１２    電源監視部
１３    スイッチ
【図１】
2007317061.tif 000003
【図２】
2007317061.tif 000004
【図３】
2007317061.tif 000005
【図４】
2007317061.tif 000006
【図５】
2007317061.tif 000007
【図６】
2007317061.tif 000008
【図７】
2007317061.tif 000009